(57)【要約】【課題】撮影台に対してカセッテを装着しやすく、またカセッテを落下させずに運びやすくすること。【解決手段】カセッテ型検出器１において、ハウジング３の側面であって撮影台との摺動面である側面３２Ａに、突起Ｔが設けられている。【選択図】図１
2010259489.tif 000002
【特許請求の範囲】
【請求項１】
撮影台に装着可能であり、被写体に向けて照射された放射線を検出して放射線画像データを取得する可搬型の放射線画像検出カセッテであって、
被写体を透過した放射線を検出する検出ユニットと、
放射線の入射する入射面及び当該入射面と直交する側面とを備え、前記検出ユニットを内蔵する筐体と、を有し、
前記筐体の側面であって前記撮影台との摺動面に、突起が設けられていることを特徴とする放射線画像検出カセッテ。
【請求項２】
前記突起は、同一面に複数設けられている請求項１に記載の放射線画像検出カセッテ。
【請求項３】
前記側面の端部は、前記突起よりも摩擦係数が高い材料により形成されている請求項１又は２に記載の放射線画像検出カセッテ。
【発明の詳細な説明】
【技術分野】
【０００１】
本発明は、放射線画像検出カセッテに関する。
【背景技術】
【０００２】
近年、被写体に放射線を照射し、被写体を透過した放射線を検出して放射線画像を得る方法として、デジタル方式の放射線画像検出装置が用いられている。このような放射線画像検出装置としては、いわゆるＦＰＤ（Ｆｌａｔ  Ｐａｎｅｌ  Ｄｅｔｅｃｔｏｒ）がある。
【０００３】
ＦＰＤの一例としては、基板上に複数の検出素子を二次元的に配列し、被写体を透過した放射線が蛍光体（シンチレータ）に照射され、照射された放射線量に応じて発光する可視光を電荷に変換して光電変換素子に蓄積し、光電変換素子に蓄積した電荷を読み出すことにより放射線画像を得るものがある。このようなＦＰＤは撮影直後に放射線画像を得られるという即時性を有している。
【０００４】
特許文献１に記載されたＸ線検出器は可搬型のＦＰＤであり、所定の場所に運ばれて放射線画像の撮影に使用される。特許文献１において、Ｘ線検出器における保護筐体を炭素繊維強化プラスチック材料により形成することが開示されており、また、把手が保護筐体に機械的に結合されてＸ線検出器の可搬性を支援していることも開示されている。
【先行技術文献】
【特許文献】
【０００５】
【特許文献１】特開２００８−９０３０４号公報
【発明の概要】
【発明が解決しようとする課題】
【０００６】
特許文献１に記載された技術のように、Ｘ線検出器の保護筐体を炭素繊維強化プラスチック材料により形成すれば、炭素繊維強化プラスチック材料は一般的に摩擦係数が低いため、撮影台（ブッキー等）に対してＸ線検出器が滑らかに摺動してセットされて装着性が良い。
【０００７】
しかし、Ｘ線検出器の保護筐体を炭素繊維強化プラスチック材料により形成すると、ユーザー等が保護筐体を持ってＸ線検出器を運ぶ際に手が滑り、誤ってＸ線検出器を落下させてしまうことがある。Ｘ線検出器の可搬性を考慮し、特許文献１に記載された技術にように把手を設けることも考えられるが、規格（ＪＩＳ）のサイズに従ったカセッテ型ＦＰＤでは、所定のサイズ内に基板や光電変換素子等を設置しなければならず、把手を設置するためのスペースを確保することが困難である。
【０００８】
そこで、本発明の目的は、撮影台に対して装着しやすく、また落下させずに運びやすくした放射線画像検出カセッテを提供することにある。
【課題を解決するための手段】
【０００９】
上記目的を達成するため、本発明に係る放射線画像検出カセッテは、
撮影台に装着可能であり、被写体に向けて照射された放射線を検出して放射線画像データを取得する可搬型の放射線画像検出カセッテであって、
被写体を透過した放射線を検出する検出ユニットと、
放射線の入射する入射面及び当該入射面と直交する側面とを備え、前記検出ユニットを内蔵する筐体と、を有し、
前記筐体の側面であって前記撮影台との摺動面に、突起が設けられていることを特徴とするものである。
【発明の効果】
【００１０】
本発明によれば、撮影台に対してカセッテが装着しやすくなり、また、カセッテを落下させずに運びやすくすることが出来る。
【図面の簡単な説明】
【００１１】
【図１】カセッテ型検出器を示す斜視図である。
【図２】本体部の斜視図である。
【図３】本体部と第１の蓋部材との構造を示す部分斜視図である。
【図４】図１に示すカセッテ型検出器をａ方向から見た所定箇所の断面図である。
【図５】カセッテ型検出器がブッキーに装着された状態を示す断面図である。
【図６】カセッテ型検出器をユーザーが持って運ぶ状態を示す断面図である。
【図７】図１に示す実施形態とは異なる形態のカセッテ型検出器の斜視図である。
【図８】別の実施形態を示すカセッテ型検出器の断面図である。
【発明を実施するための形態】
【００１２】
［カセッテ型検出器の概要］
図１は、カセッテ型検出器１の斜視図である。放射線画像検出カセッテであるカセッテ型検出器１は、カセッテ型のフラットパネルディテクタ（Ｆｌａｔ  Ｐａｎｅｌ  Ｄｅｔｅｃｔｏｒ）である。カセッテ型検出器１は、照射された放射線を検出してデジタル画像データとして取得する放射線検出部２（図４参照）と、放射線検出部２を内蔵するハウジング（筐体）３とを備えている。ハウジング３は、本体部３１と、本体部３１の開口部を塞ぐ第１の蓋部材３２、第２の蓋部材３３とにより構成されている。
【００１３】
本実施形態において、ハウジング３は、その放射線入射方向の厚さが１５ｍｍとなるように形成されている。なお、ハウジング３の放射線入射方向の厚さは１６ｍｍ以下であり、従来のスクリーン／フィルム用のカセッテにおけるＪＩＳ規格（ＪＩＳ  Ｚ  ４９０５）に準拠するサイズ（１５ｍｍ＋１ｍｍであり、かつ１５ｍｍ−２ｍｍ）の範囲内である（ＪＩＳ  Ｚ  ４９０５に対応する国際規格は、ＩＥＣ  ６０４０６である）。
【００１４】
図２は、本体部３１の斜視図である。本体部３１は、カーボン（例えば炭素繊維強化プラスチック：ＣＦＲＰ）で構成され、軽量で強度が優れたものである。またＸ線透過率も良好なものである。図２で示すように、本体部３１は中空の筒状となっており、カセッテ型検出器１の強度を保つように形成されている。本体部３１の両側には開口部３１Ａ、３１Ｂがあり、開口部３１Ａは第１の蓋部材３２により塞がれ、開口部３１Ｂは第２の蓋部材３３により塞がれる（図１参照）。
【００１５】
図３は、図１、図２とは異なる角度から見た本体部３１と第１の蓋部材３２との構造を示す部分斜視図である。第１の蓋部材３２の挿入部３２Ｂは、本体部３１の開口部３１Ａ（図２参照）が第１の蓋部材３２により塞がれると、本体部３１の内部に入り込む構造になっている。一方、第１の蓋部材３２の外壁３２Ｃは、本体部３１の開口部３１Ａが第１の蓋部材３２により塞がれても本体部３１の内部に入り込まず、ハウジング３の外装を構成するようになっている。つまり、第１の蓋部材３２の一部は本体部３１の内部に入り込み、第１の蓋部材３２の両端は本体部３１の内部に入り込まない構造となっている。
【００１６】
なお、第１の蓋部材３２と第２の蓋部材３３はほぼ同じ形状となっており、図３で説明した構造により各々の開口部３１Ａ、３１Ｂが第１の蓋部材３２、第２の蓋部材３３により塞がれている。第１の蓋部材３２及び第２の蓋部材３３は、摩擦係数が低く硬い樹脂（例えば、ＡＢＳ樹脂）により形成されている。
【００１７】
［カセッテ型検出器の内部構造］
次にカセッテ型検出器１の内部構造について説明する。図４は、図１に示すカセッテ型検出器１をａ方向から見た所定箇所の断面図である。
【００１８】
図４に示すように、放射線検出部２は、検出ユニット２１、基台２２、電気部品（中継基板２３Ａ、制御基板２３Ｂ、充電池２４（例えばリチウムイオンキャパシタ等））により構成されている。本実施形態において、基台２２の上方の面には検出ユニット２１が支持されており、基台２２の下方の面には制御基板２３Ｂや充電池２４等、複数の電気部品が取り付けられている。
【００１９】
基台２２は可撓性であり、樹脂により構成されている。基台２２の材質は例えばポリカーボネイトとＡＢＳを混合した樹脂である。基台２２はガラス基板２１３を支持しており、図３には示していないが基台２２とガラス基板２１３の間には薄い鉛の層が介在している。
【００２０】
検出ユニット２１はシンチレータ２１１、検出部２１２、ガラス基板２１３、対向基板２１４等から構成されている。検出ユニット２１の基本構造を説明すると、検出部２１２がガラス基板２１３の上に設置されており、その上方にシンチレータ２１１が設置されている。シンチレータ２１１の上方には対向基板２１４が設置されており、シンチレータ２１１は対向基板２１４とガラス基板２１３に挟まれている。ガラス基板２１３と対向基板２１４は、例えば、ともに厚みが０．６ｍｍ程度の基板である。
【００２１】
シンチレータ２１１は入射した放射線を光に変換する機能を有する。シンチレータ２１１は、例えば、蛍光体を主たる成分とし、入射した放射線に基づいて、波長が３００ｎｍから８００ｎｍの電磁波、すなわち、可視光線を中心に紫外光から赤外光にわたる電磁波（光）を出力するようになっている。
【００２２】
検出部２１２はシンチレータ２１１から出力された電磁波（光）を電気エネルギーに変換して蓄積し、蓄積された電気エネルギーに基づいた電気信号を出力する。検出部２１２で発生した電気信号は不図示のフレキシブルハーネスにより第１中継基板２３Ａに送られる。
【００２３】
基台２２の端部や対向基板２１４の上方には緩衝材２１５が設置されている。
【００２４】
以上、図１〜図３に示すカセッテ型検出器１を使用することにより、被写体の放射線画像を検出することが可能となっている。
【００２５】
［ハウジングの突起］
次にハウジング３の側面に設けられた突起Ｔについて説明する。
【００２６】
カセッテ型検出器１が撮影台（ブッキー等）に装着される場合、第１の蓋部材３２の側面３２Ａ（図１参照）が撮影台に摺動して装着される（側面３２Ａは、ハウジング３の面のうち、法線方向が放射線の照射方向（図１におけるｂ方向）と直交する面であり、且つ撮影台に対するカセッテ型検出器１の摺動面である）。また、本実施形態におけるカセッテ型検出器１において、側面３２Ａには突起Ｔが設けられている。
【００２７】
図５は、カセッテ型検出器１がブッキーＳに装着された状態を示す断面図である。図５において、カセッテ型検出器１に関しては本体部３１と第１の蓋部材３２のみを示し、カセッテ型検出器１の内部にある検出ユニット２１等は省略している。
【００２８】
図５に示すように、カセッテ型検出器１はブッキーＳに縦置きで装着される（カセッテ型検出器１は図５において紙面手前側から紙面奥側に移動してブッキーＳに装着される）。第１の蓋部材３２の側面３２Ａには突起Ｔが設けられており、突起ＴがブッキーＳの設置面Ｓ１に摺動し、カセッテ型検出器１がブッキーＳに装着される。側面３２Ａに突起Ｔが設けられていることにより、カセッテ型検出器１とブッキーＳとの摺動する面積が減少し、カセッテ型検出器１がブッキーＳに対して円滑に摺動して装着されることになる。
【００２９】
図６は、カセッテ型検出器１をユーザーが持って運ぶ状態を示す断面図である。第１の蓋部材３２は摩擦係数の低い樹脂により形成されているため、図６で示すように、カセッテ型検出器１を縦置きでユーザーが第１の蓋部材３２の部分を持って運ぶ場合に手が滑りやすい。しかし、側面３２Ａに突起Ｔが設けられていることにより、突起Ｔがユーザーの指の部分（図６におけるＨ）に引っ掛かり、手が滑ってカセッテ型検出器１が落下するのを抑制することができる。
【００３０】
以上説明したように側面３２Ａに突起Ｔを設けることにより、撮影台に対してカセッテ型検出器１が装着しやすくなり、また、カセッテ型検出器１を落下させずに運びやすくすることが出来る。特に本実施形態のように、規格に準拠するサイズのカセッテ型検出器１では、所定のサイズ内に検出ユニット２１等を設置しなければならず、ユーザーが持つ部分である把手を設置するためのスペースを確保することが困難なため、本発明を規格に準拠したサイズのカセッテ型検出器に適用することがより効果的である。
【００３１】
図７は、図１に示す実施形態とは異なる形態のカセッテ型検出器１の斜視図である。図７で示す実施形態のカセッテ型検出器１は、図１に示す実施形態と異なり、同一面である側面３２Ａに複数の突起Ｔが設けられている。図６で説明したように、カセッテ型検出器１を縦置きでユーザーが第１の蓋部材３２の部分を持って運ぶ場合に、突起Ｔがユーザーの指の部分（図６におけるＨ）に引っ掛かる。そこで、側面３２Ａに突起Ｔを複数設けることにより、ユーザーの指に引っ掛かる部分が多くなり、手が滑ることなく、よりカセッテ型検出器１を運びやすくすることが出来る。
【００３２】
図８は、更に別の実施形態を示すカセッテ型検出器１の断面図である。図８において、カセッテ型検出器１の内部にある検出ユニット２１等は省略している。
【００３３】
図８に示すカセッテ型検出器１において、側面３２Ａの端部Ｘや突起Ｔ間は、ハッチングで示す保護カバーＵにより構成されている。保護カバーＵは、突起Ｔよりも摩擦係数が高く、エラストマー等の柔らかい材料により形成されている（突起Ｔは摩擦係数が低く硬い樹脂（例えば、ＡＢＳ樹脂）により形成されている）。
【００３４】
側面３２Ａの端部が保護カバーＵにより構成されることにより、図６で説明したように、カセッテ型検出器１を縦置きでユーザーが第１の蓋部材３２の部分を持って運ぶ場合にグリップ感が増し、突起Ｔと相俟って手が滑ることなく、よりカセッテ型検出器１を運びやすくすることが出来る。また、カセッテ型検出器１を誤って落下させてしまった場合でも保護カバーＵが緩衝材となってカセッテ型検出器１に加わる衝撃が吸収され、カセッテ型検出器１の損傷を防止することも出来る。
【００３５】
以上、図１〜図８に示す実施形態により本発明を説明したが、本発明は当該実施の形態に限定されるものではなく、本発明の要旨を逸脱しない範囲における変更や追加があっても本発明に含まれる。
【符号の説明】
【００３６】
１  カセッテ型検出器
２  放射線検出部
３  ハウジング
２１  検出ユニット
２２  基台
２１１  シンチレータ
２１２  検出部
２１３  ガラス基板
２１４  対向基板
Ｔ  突起
【図１】
2010259489.tif 000003
【図２】
2010259489.tif 000004
【図３】
2010259489.tif 000005
【図４】
2010259489.tif 000006
【図５】
2010259489.tif 000007
【図６】
2010259489.tif 000008
【図７】
2010259489.tif 000009
【図８】
2010259489.tif 000010